(57)【要約】      （修正有）【課題】湖で採集されるシジミの収益分布を把握できる遠隔サーバを提供する。【解決手段】漁船４の位置情報、操業日情報、並びに、操業日毎又は操業日における位置毎のシジミ収穫量（重量）及び燃料消費量を受信する遠隔サーバ５において、操業日毎に漁船４のシジミ収穫量（重量）を出力し、シジミの収穫量の分布を示す収益分布マップを作成する。また、操業日毎に漁船４の位置情報の受信回数を地図上に出力し、漁船４によるシジミの採集地の分布を示す採集地分布マップを作成する。【選択図】図２
2015046008.tif 000002
【特許請求の範囲】
【請求項１】
船舶の位置情報、操業日情報、並びに、操業日毎又は操業日における位置毎の収益及び燃料消費量を受信する遠隔サーバにおいて、操業日毎に収益及び燃料消費量を出力し、操業日毎に位置情報の受信回数を地図上に出力することを特徴と遠隔サーバ。
【発明の詳細な説明】
【技術分野】
【０００１】
本発明は、漁場の収益分布を把握する遠隔サーバの技術に関する。
【背景技術】
【０００２】
遠隔サーバとは、遠方のユーザーに対して何らかのサービスを提供するものである。例えば、漁業分野では、遠隔サーバの一つであるＧＰＳ（Ｇｒｏｂａｌ  Ｐｏｓｉｔｉｏｎ  Ｓｙｓｔｅｍ）によって、船舶の現在位置情報を得ることができる。特許文献１には、遠隔サーバによって、船舶の位置情報を取得して地図上に表示することで航跡図を作成する構成が開示されている。
【０００３】
一方、採貝又は採藻を行う沿岸漁業では、船舶がある地点に停泊して操業を行う場合が多い。ここで、一の漁場（例えば、近海、湖等）において、漁獲量を収益として考えると、その漁場で操業する船舶についての、操業日、船舶の停泊地点、漁獲量の情報を得ることによって、その漁場の収益分布を把握することができる。
【先行技術文献】
【特許文献】
【０００４】
【特許文献１】特開平１０−１９７６２２号公報
【発明の概要】
【発明が解決しようとする課題】
【０００５】
本発明の解決しようとする課題は、漁場の収益分布を把握できる遠隔サーバを提供することである。
【課題を解決するための手段】
【０００６】
本発明の解決しようとする課題は以上の如くであり、次にこの課題を解決するための手段を説明する。
【０００７】
即ち、請求項１においては、船舶の位置情報、操業日情報、並びに、操業日毎又は操業日における位置毎の収益及び燃料消費量を受信する遠隔サーバにおいて、操業日毎に収益及び燃料消費量を出力し、操業日毎に位置情報の受信回数を地図上に出力することを特徴と遠隔サーバものである。
【発明の効果】
【０００８】
本発明の遠隔サーバによれば、操業日毎に収益と各地点における操業時間を把握できるため、漁場の収益分布を把握できる。
【図面の簡単な説明】
【０００９】
【図１】遠隔サーバの構成を示した模式図。
【図２】遠隔サーバの構成を示した別の模式図。
【図３】採集地点マップを示した模式図。
【図４】収益分布マップを示した模式図。
【図５】燃料消費量マップを示した模式図。
【図６】収支分布マップを示した模式図。
【図７】収益分布取得制御の流れを示したフロー図。
【発明を実施するための形態】
【００１０】
図１を用いて、遠隔サーバシステム１００について説明する。
なお、図１では、遠隔サーバシステム１００を模式的に表している。
【００１１】
遠隔サーバシステム１００は、本発明の遠隔サーバの実施形態に係るシステムである。遠隔サーバシステム１００とは、遠方のユーザーに対して何らかのサービスを提供するシステムである。本実施形態の遠隔サーバシステム１００は、漁場である湖Ａにて操業する漁船４を使用するユーザーに対し、世界各国の海外通信会社１３０と国内の国内通信会社１２０とを介して、遠隔情報センター１１０よりサービスを提供するシステムである。
【００１２】
図２を用いて、遠隔サーバシステム１００についてさらに説明する。
なお、図２では、遠隔サーバシステム１００を模式的に表している。
【００１３】
本実施形態の遠隔サーバシステム１００は、漁場である湖Ａにて操業する漁船４を使用するユーザーに対し、後述する採集地分布マップ５５及び収益分布マップ５６を提供するシステムである。また、本実施形態では、漁船４は収穫物としてシジミを採貝するために操業しているものとする。
【００１４】
遠隔サーバシステム１００では、遠隔情報センター１１０（図１参照）に設けられた遠隔サーバ５と、操業を行う漁船４に設けられた端末サーバ６が通信可能に構築されている。
【００１５】
なお、遠隔サーバ５は、多数の端末サーバ６と同時に通信可能に構成されている。例えば、遠隔サーバ５は、同じ湖Ａにて操業する漁船に設けられた端末サーバ６、或いは、他の漁場（例えば河川、湖）にて操業する漁船に設けられた端末サーバ６とも通信可能に構築されている。
【００１６】
本実施形態では、湖Ａで操業する漁船４の端末サーバ６が、少なくとも、漁船４の操業日、漁船４の位置、漁船４のシジミ収穫量（重量）を遠隔サーバ５に送信するものとする。
【００１７】
遠隔サーバ５は、端末サーバ６によって送信された湖Ａについての、漁船４の操業日情報、漁船４の位置情報、漁船４の収穫量情報、に基づいて後述する採集地分布マップ５５及び収益分布マップ５６を作成する。
【００１８】
図３を用いて、採集地分布マップ５５について説明する。
なお、図３では、採集地分布マップ５５を模式的に表している。
【００１９】
採集地分布マップ５５は、例えば、シジミの漁期中の湖Ａにおける漁船４による採集地の分布をマップとして表したものである。本実施形態において、採集地とは、漁船４が長時間停泊してシジミを採集した場所である。
【００２０】
採集地分布マップ５５では、湖Ａの採集地分布を平面視のマップとして表している。本実施形態の採集地分布マップ５５では、湖Ａを停泊時間レベルによって地点毎に区別している。停泊時間レベルとは、湖Ａの各地点について、漁船が停泊した時間が長い順に濃淡を施した○印の４段階で分類したものである。
【００２１】
例えば、河川Ｂ又は河川Ｃが湖Ａに合流する地点では、濃い○印が多いことから、漁船４の停泊時間が長かったことが分かる。一方、湖Ａの北側の沿岸部の地点では、薄い○印が多いことから、漁船４の停泊時間が短かったことが分かる。
【００２２】
図４を用いて、収益分布マップ５６について説明する。
なお、図４では、収益分布マップ５６を模式的に表している。
【００２３】
収益分布マップ５６は、例えば、シジミの漁期中の湖Ａにおける収益分布をマップとして表したものである。本実施形態では、収益とは、漁船４が採集したシジミの収穫量（重量）である。
【００２４】
収益分布マップ５６では、湖Ａの収益分布を平面視のマップとして表している。本実施形態の収益分布マップ５６では、湖Ａを収益レベルによって地点毎に区別している。収益レベルとは、湖Ａの各地点について、収益が多い順に○、△、□、●の４段階で分類したものである。
【００２５】
例えば、河川Ｂ又は河川Ｃが湖Ａに合流する地点、すなわち、上述した採集地分布マップ５５にて漁船４の停泊時間が長かった地点では、□、●の印が多く、漁船４が採集したシジミの収穫量が多い地点であることが分かる。
【００２６】
一方、湖Ａの北側の沿岸部の地点、すなわち、上述した採集地分布マップ５５にて漁船４の停泊時間が短かった地点では、○、△の印が多く、漁船４が採集したシジミの収穫量が少ない地点であることが分かる。
【００２７】
図５を用いて、燃料消費量分布マップ５７について説明する。
なお、図５では、燃料消費量分布マップ５７を模式的に表している。
【００２８】
燃料消費量分布マップ５７は、例えば、漁船４の操業における燃料消費量の分布をマップとして表したものである。
【００２９】
燃料消費量分布マップ５７では、漁船４の操業における燃料消費量の分布を平面視のマップとして表している。本実施形態の燃料消費量分布マップ５７では、湖Ａでの漁船の停泊地点（採集地）を燃料消費量レベルによって地点毎に区別している。燃料消費量レベルとは、湖Ａの各地点について、漁船の操業における燃料消費量の多い順に○、△、□、●の４段階で分類したものである。
【００３０】
例えば、湖Ａには、漁港Ａがあり、漁港Ａから近い地点では、○、△の印が多いことから、漁船４の燃料消費量が少なかったことが分かる。一方、漁港Ａから遠い地点では、□、●の印が多いことから、漁船４の燃料消費量が多かったことが分かる。
【００３１】
図６を用いて、収支分布マップ５８について説明する。
なお、図６では、収支分布マップ５８を模式的に表している。
【００３２】
収支分布マップ５８は、例えば湖Ａの収支分布をマップとして表したものである。収支とは、漁業生産における、収入と支出とを総計したものである。本実施形態では、収入とは、漁船４が収穫したシジミの収穫量である。また、支出とは、漁船４の燃料消費量である。
【００３３】
なお、収支分布マップ５８では、収入と支出とを総計するため、収穫量及び燃料消費量を、市場価格に換算して計算している。
【００３４】
収支分布マップ５８では、湖Ａの収支分布を平面視のマップとして表している。本実施形態の収支分布マップ５８では、湖Ａを収支レベルによって領域毎に区別している。収支レベルとは、湖Ａの領域について、収支において支出に対して収入が多い順にＡ、Ｂ、Ｃ、Ｄの４段階で分類したものである。収支分布マップ５８では、各領域の収支レベルが濃淡によって表されている。
【００３５】
図７を用いて、収益分布取得制御Ｓ１００の流れについて説明する。
なお、図７では、収益分布取得制御Ｓ１００の流れをフローチャートによって表している。
【００３６】
収益分布取得制御Ｓ１００は、漁期の湖Ａにおける漁船４の操業結果より、上述した採集地分布マップ５５及び収益分布マップ５６を取得する制御である。
【００３７】
ステップＳ１１０及びステップＳ１２０は、上述した採集地分布マップ５５を取得する制御である。
【００３８】
ステップＳ１１０において、遠隔サーバ５は、操業日、漁船４の位置を取得する。より具体的には、遠隔サーバ５は、その操業日の所定周期における漁船４の平均位置を取得する。ここで、遠隔サーバ５は、取得した操業中の漁船４の平均位置の中で最も長く停泊した地点を、その操業における採集地点とする。
【００３９】
ステップＳ１２０において、遠隔サーバ５は、ステップＳ１１０において取得した採集地点について、その採集地での停泊時間を停泊レベルに換算して、採集地分布マップ５５にプロットする。
【００４０】
ステップＳ１３０及びステップＳ１４０は、上述した収益分布マップ５６を取得する制御である。
【００４１】
ステップＳ１３０において、遠隔サーバ５は、その操業日におけるシジミ収穫量を取得する。より具体的には、遠隔サーバ５は、操業後にて作業者により入力されるシジミ収穫量（重量）を取得するものとする。
【００４２】
本実施形態では、操業後にて作業者により入力されるシジミ収穫量の単位を重量としているが、これに限定されない。例えば、シジミ収穫量を市場価格に換算したものであっても良い。
【００４３】
ステップＳ１４０において、遠隔サーバ５は、ステップＳ１１０にて取得した採集地点において、ステップＳ１３０において取得したシジミ収穫量を収益レベルに換算し、収益分布マップ５６にプロットする。
【００４４】
ステップＳ１５０及びステップＳ１６０は、上述した燃料消費量分布マップ５７を取得する制御である。
【００４５】
ステップＳ１５０において、遠隔サーバ５は、操業日、漁船４の位置及び燃料消費量を取得する。より具体的には、遠隔サーバ５は、その操業日の停泊地点の燃料消費量を取得する。
【００４６】
ステップＳ１６０において、遠隔サーバ５は、ステップＳ１５０において取得した燃料消費量について、その停泊地点での燃料消費量レベルに換算して、燃料消費量分布マップ５７にプロットする。
【００４７】
なお、遠隔サーバ５は、ステップＳ１１０〜ステップＳ１６０までの処理を操業日毎に漁期毎に繰り返し行うものとする。
【００４８】
ステップＳ１７０において、遠隔サーバ５は、作成した採集地分布マップ５５、収益分布マップ５６及び燃料消費量分布マップ５７に基づいて、上述した収支分布マップ５８を作成する。
【００４９】
このようにして、遠隔サーバ５は、湖Ａの採集地分布マップ５５及び収益分布マップ５６を作成することができる。作成された採集地分布マップ５５及び収益分布マップ５６は、ユーザーに提供され、湖Ａの来年以降の漁業計画等に利用されることになる。
【００５０】
遠隔サーバシステム１００及び収益分布取得制御Ｓ１００の効果について説明する。
遠隔サーバシステム１００及び収益分布取得制御Ｓ１００によれば、操業日毎に収益と各地点における操業時間を把握できるため、湖Ａの収益分布を把握できる。
【００５１】
本実施形態では、湖Ａの収益分布を把握する構成としたが、これに限定されない。例えば、小型船舶４の瞬時燃料消費量を取得し、シジミ収穫量を収益、瞬時燃料消費量を支出として収支マップを作成する構成としても良い。また、瞬時燃料消費量を投資とし、シジミ収穫量を収益とした場合の投資に対する収益割合を表す収益率マップを作成する構成としても良い
【００５２】
また、本実施形態では、１台の漁船４に着目して湖Ａの採集地分布及び収益分布を把握する構成としたが、これに限定されない。例えば、水産組合等に所属する複数台の漁船４に着目して湖Ａの採集地分布及び収益分布を把握する構成としても良い。
【符号の説明】
【００５３】
４      漁船
５      遠隔サーバ
６      端末サーバ
５０    収益分布マップ
１００  遠隔サーバシステム
【図１】
2015046008.tif 000003
【図２】
2015046008.tif 000004
【図３】
2015046008.tif 000005
【図４】
2015046008.tif 000006
【図５】
2015046008.tif 000007
【図６】
2015046008.tif 000008
【図７】
2015046008.tif 000009